(57)【要約】【課題】コピーリストによるコンテンツのコピーを行う際に、コピーが許可されないコンテンツが生じた場合に、所望のコピーリストへ再作成する際の手間を省くことを可能とする。【解決手段】コピー制御部１１１は、制限情報に基づいて前記コピーリストに示されたコピー対象のコンテンツがコピーが許可されたコンテンツであるか否かをコピーリスト再作成判定部４０３で判定する。コピー制御部１１１は、コピーリスト再作成判定部４０３の判定によりコピーが許可されない場合、コピーリスト作成基準管理部４０４において予め設定された指針に基づいてコピーリスト作成部４０５により新たなコピーリストを作成する。【選択図】図４
2010113779.tif 000002
【特許請求の範囲】
【請求項１】
コピー回数を制限する制限情報が設定された複数のコンテンツを記憶するコンテンツ記憶手段と、コピー対象のコンテンツを示すコピーリストを取得する取得手段と、取得されたコピーリストに従って前記コンテンツ記憶手段に記憶されたコンテンツのコピーを行うコピー手段と、を備えるダビング装置であって、
前記コピーリストが示すコンテンツに設定された前記制限情報に基づいて、前記コピーリストにコピーが許可されないコンテンツが含まれるか否かを判定する判定手段と、
前記コピーリストにコピーが許可されないコンテンツが含まれると判定された場合、予め設定された指針に従い、前記コピーリストから、前記コピーが許可されないコンテンツを含まない新たなコピーリストを作成するコピーリスト作成手段と、
を備えることを特徴とするダビング装置。
【請求項２】
前記指針を表す指針情報を複数記憶する指針情報記憶手段と、
表示手段と、
ユーザからの指示を受け付ける操作手段と、を更に備え、
前記指針情報記憶手段に記憶された複数の指針情報が表す指針を前記表示手段に表示させ、前記操作手段によるユーザからの指示に応じて選択された指針を、前記コピーリスト作成手段に設定することを特徴とする請求項１に記載のダビング装置。
【請求項３】
前記コピーリスト作成手段は、前記コピーリストに示されたコピー対象のコンテンツの中に、前記コピー可能なコンテンツが含まれない場合は、前記コピーリストを消去することを特徴とする請求項１又は２に記載のダビング装置。
【請求項４】
前記コピーリストは、コンテンツの再生順序を指定するプレイリストとしても機能し、
前記判定手段は、前記コピーリストに示されたコピー対象のコンテンツに、関連した一連のコンテンツが含まれるか否かを判定し、
前記コピーリスト作成手段は、前記新たなコピーリストを作成する際には、前記関連した一連のコンテンツが連続して並ぶコピーリストを前記新たなコピーリストとして作成することを特徴とする請求項１乃至３のいずれか一項に記載のダビング装置。
【請求項５】
前記コピーリスト作成手段は、前記コピーリストに示されたコピー対象のコンテンツに、前記関連した一連のコンテンツが連続しなくなるコンテンツが含まれる場合には、前記関連した一連のコンテンツが連続して並ぶコピーリストを１つのコピーリストとした複数のコピーリストを作成することを特徴とする請求項４に記載のダビング装置。
【請求項６】
前記コピーリスト作成手段は、さらに、前記コピーリストに含まれる前記コピーが許可されないコンテンツのみを含んだコピーリストを作成することを特徴とする請求項１乃至５のいずれか一項に記載のダビング装置。
【請求項７】
コピー回数を制限する制限情報が設定された複数のコンテンツを記憶するコンテンツ記憶手段と、コピー対象のコンテンツを示すコピーリストを取得する取得手段と、取得されたコピーリストに従って前記コンテンツ記憶手段に記憶されたコンテンツのコピーを行うコピー手段と、を備えるダビング装置の制御方法であって、
前記コピーリストが示すコンテンツに設定された前記制限情報に基づいて、前記コピーリストにコピーが許可されないコンテンツが含まれるか否かを判定する判定工程と、
前記コピーリストにコピーが許可されないコンテンツが含まれると判定された場合、予め設定された指針に従い、前記コピーリストから、前記コピーが許可されないコンテンツを含まない新たなコピーリストを作成するコピーリスト作成工程と、
を含むことを特徴とするダビング装置の制御方法。
【請求項８】
請求項７に記載のダビング装置の制御方法の各工程をコンピュータに実行させるためのプログラム。
【発明の詳細な説明】
【技術分野】
【０００１】
本発明は、ダビング装置、その制御方法及びプログラムに関する。
【背景技術】
【０００２】
近年、ＨＤＤやＤＶＤなどの大容量の記録メディアの出現と、データの圧縮技術の向上とにより、映像や音声などのデジタルデータ（以下コンテンツという）を大量に管理することが可能となっている。そして、それらコンテンツの管理・コピーを行うＨＤＤレコーダやＤＶＤレコーダ等のダビング装置が普及している。このダビング装置が管理する個々のコンテンツには、そのコンテンツのコピー回数を制限するコピー可能回数が設定されているものもある。ダビング装置では、オリジナルのコンテンツからのコピーを、そのコンテンツに設定されたコピー可能回数分行うことができる。例えば、ダビング１０規格の場合は、９回のコピーと１回のムーブを可能とするコピー可能回数が予め設定されており、オリジナルのコンテンツからのコピーは９回まで行うことができる。
【０００３】
また、大量に管理されたコンテンツの中から複数のコンテンツをまとめてコピーするためのリストを設定し、そのリストに従った一括コピーを実行することができるダビング装置もある。なお、複数のコンテンツをまとめてコピーするための、コピー対象となるコンテンツを示したリストを、以下の説明ではコピーリストと呼ぶ。このコピーリストでは、残りのコピー可能回数が異なるコンテンツを組み合わせている場合がある。したがって、コピーリストによるコピーを繰り返した場合は、いずれかのコンテンツのコピー可能回数が０回になるまではコピーリストのとおりにコピーが行われるが、それ以降はコピーリストのとおりにコピーが行われないこととなる。
【０００４】
このような、コピーリストにコピーが許可されないコピー不可のコンテンツが含まれている場合のコピー処理の技術としては、特許文献１が知られている。特許文献１では、コピーリストによりコピーを行う際に、コピー不可のコンテンツが含まれている場合、予めその旨をユーザに通知し、コピー可能なコンテンツのみをコピー対象とする技術が提案されている。
【特許文献１】特開２００７−２１３６６８号公報
【発明の開示】
【発明が解決しようとする課題】
【０００５】
しかしながら、コピーリストによるコピーを繰り返し行う際に、コピーが許可されないコンテンツが生じた場合は、コピー可能なコンテンツのみをコピー対象とするのではなく、所望のコンテンツをコピーしたい場合もあるであろう。このような場合、上記従来技術では、コピーが許可されないコンテンツが含まれている旨が通知される度に、ユーザはコピー可能なコンテンツの中から所望のコンテンツを選択しなければならず、煩雑なものであった。
【０００６】
本発明は、このような従来技術の課題を解決することを目的としてなされたものである。本発明の目的は、コピーリストによるコンテンツのコピーを行う際に、コピーが許可されないコンテンツが生じた場合に、所望のコンテンツをコピーさせるための手間を省くことが可能なダビング装置、その制御方法及びプログラムの提供を目的とする。
【課題を解決するための手段】
【０００７】
上記目的は、コピー回数を制限する制限情報が設定された複数のコンテンツを記憶するコンテンツ記憶手段と、コピー対象のコンテンツを示すコピーリストを取得する取得手段と、取得されたコピーリストに従って前記コンテンツ記憶手段に記憶されたコンテンツのコピーを行うコピー手段と、を備えるダビング装置であって、前記コピーリストが示すコンテンツに設定された前記制限情報に基づいて、前記コピーリストにコピーが許可されないコンテンツが含まれるか否かを判定する判定手段と、前記コピーリストにコピーが許可されないコンテンツが含まれると判定された場合、予め設定された指針に従い、前記コピーリストから、前記コピーが許可されないコンテンツを含まない新たなコピーリストを作成するコピーリスト作成手段と、を備えることを特徴とする本発明によるダビング装置によって達成される。
【０００８】
また、上記目的は、コピー回数を制限する制限情報が設定された複数のコンテンツを記憶するコンテンツ記憶手段と、コピー対象のコンテンツを示すコピーリストを取得する取得手段と、取得されたコピーリストに従って前記コンテンツ記憶手段に記憶されたコンテンツのコピーを行うコピー手段と、を備えるダビング装置の制御方法であって、前記コピーリストが示すコンテンツに設定された前記制限情報に基づいて、前記コピーリストにコピーが許可されないコンテンツが含まれるか否かを判定する判定工程と、前記コピーリストにコピーが許可されないコンテンツが含まれると判定された場合、予め設定された指針に従い、前記コピーリストから、前記コピーが許可されないコンテンツを含まない新たなコピーリストを作成するコピーリスト作成工程と、を含むことを特徴とする本発明によるダビング装置の制御方法によっても達成される。
【発明の効果】
【０００９】
本発明によれば、コピーリストによるコンテンツのコピーを行う際に、コピーが許可されないコンテンツが生じた場合に、所望のコピーリストへ再作成する際の手間を省くことができる。
【発明を実施するための最良の形態】
【００１０】
以下、この発明の実施の形態について図を参照して説明するが、この発明は以下の実施の形態に限定されない。また、この発明の実施の形態は発明の最も好ましい形態を示すものであり、発明の範囲を限定するものではない。
【００１１】
［第１の実施形態］
まず、第１の実施形態について、図面を用いて詳細に説明する。図１は、第１の実施形態に係るダビング装置１１７の構成を示すブロック図である。
【００１２】
図１に示すように、ダビング装置１１７において、アンテナ１０１より所定の放送波を受信して得られた信号は、チューナ部１０２に入力される。チューナ部１０２では、制御部１１０の選局制御に従って選局処理を行うことで、受信された信号より、指定された放送局に対応する受信信号成分を得る。このとき、制御部１１０は、入力部１０９に対して行われた、ユーザからの選局操作などに応じて選局制御を行う。
【００１３】
復調部１０３は、チューナ部１０２で得られた受信信号成分に、放送波の送出時に施された変調に対する復調処理を行う。分離部１０４は、復調部１０３で復調された受信信号成分からＥＰＧ（Electronic Program Guide）データの抽出、ビデオデータ（映像情報）とオーディオデータ（音声情報）の分離などを行う。
【００１４】
復号部１０５は、分離部１０４で分離され、圧縮符号化されているそれぞれのデータの復号化処理を行い、所定形式のデータを得る。例えば、復号部１０５で復号処理が施されたビデオデータは、表示部１０６に出力される。
【００１５】
表示部１０６は、入力されたビデオデータを画面に表示するディスプレイデバイスである。なお、表示部１０６として採用されるディスプレイデバイスについては、特に限定されるものではいない。例えば、ディスプレイデバイスとしては、液晶ディスプレイ、プラズマディスプレイ、ＦＥＤ、有機ＥＬ、ＳＥＤなどを挙げることができる。ここで、ＦＥＤとはField Emission Displayの略語である。また、ＥＬとは、Electro Luminescenceの略語である。また、ＳＥＤとは、Surface-Conduction Electron-emitter Displayの略語である。
【００１６】
録画部１０７は、制御部１１０の録画制御に従って録画処理を行い、分離部１０４で分離されたデータを、第１の記録媒体１１２（又は第２の記録媒体１１６）に録画する。この際、制御部１１０の録画制御では、入力部１０９からの選局操作や録画操作に従い、ユーザの所望するコンテンツを第１の記録媒体１１２に録画する。
【００１７】
録画されるデータには、番組データそのものに加え、番組情報も含まれる。この番組情報とは、番組のタイトルや放送日時、番組内容などの番組に関する情報を示すＥＩＴ（Event Information Table）情報、録画コンテンツを内部管理するための管理ＩＤなど、番組を特定できる情報である。特に番組情報には、コンテンツの制限情報として、コピー回数を指定するコピー可能回数が含まれているものとし、このコピー可能回数もコンテンツ録画に併せて第１の記録媒体１１２に記録される。
【００１８】
再生部１０８は、入力部１０９からの操作に応じた制御部１１０の再生制御に従って、コンテンツ記憶手段としての第１の記録媒体１１２（又は第２の記録媒体１１６）に記録されたコンテンツを表示部１０６に出力する。入力部１０９はユーザからの選択・決定指示を受け付ける。例えば、入力部１０９は、コンテンツを選択する指示をユーザから受け付けて、コピー対象のコンテンツを示すコピーリストを取得する取得手段である。入力部１０９により取得されたコピーリストは、コピーリスト管理部１１４にて管理される。
【００１９】
本実施形態では、第１の記録媒体１１２として、ダビング装置に内蔵のＨＤＤを例に説明する。また、第２の記録媒体１１６として、可搬性の高い光ディスク、半導体メモリなどを例に説明する。外部記録媒体制御部１１５は、第２の記録媒体１１６へのデータ記録やデータ読み出しに関する駆動・制御を行う。なお、上述した記録媒体の構成例は一例であって、特に限定しない。
【００２０】
コンテンツ管理部１１３は、第１の記録媒体１１２に記録された全てのコンテンツを管理する。具体的には、コンテンツ管理部１１３は、メモリ（図示しない）などに第１の記録媒体１１２に記録された全てのコンテンツのコピー可能回数を含めたコンテンツ管理情報を記録している。このコンテンツ管理情報は、第１の記録媒体１１２への録画時や第１の記録媒体１１２からの再生時などに番組情報を読み出して記録される。コピーリスト管理部１１４は、第１の記録媒体１１２に記録された複数のコンテンツから構成され、コピー対象のコンテンツを示すコピーリストを、メモリ（図示しない）などに記録して管理する。なお、コピーリスト管理部１１４が管理するコピーリストは複数あってよい。
【００２１】
コピー制御部１１１は、第１の記録媒体１１２に記録されたコンテンツの第２の記録媒体１１６へのコピー（又はダビング）を実行する。具体的には、コピー制御部１１１は、上述したコピーリストに従って、第１の記録媒体１１２に記録されたコンテンツのコピーを行うコピー手段である。コピー制御部１１１は、このコピーを実行した際にはコンテンツ管理部１１３で管理される第１の記録媒体１１２に記録されたコピー対象のコンテンツのコピー可能回数を１回ずつ減らす。また、コピー制御部１１１は、コンテンツのコピー可能回数の抽出や、コピー可能回数に基づいた判定を行い、ユーザの選択によるコピーリスト作成基準に基づいてコピーリストを作成する。コピーリスト作成基準は、コピーリストから新たなコピーリストを作成する際の指針が示された指針情報である。なお、コピーリスト作成基準の詳細については後述する。コピー制御部１１１によって作成されたコピーリストは、コピーリスト管理部１１４で管理される。コピーリストの構成やその作成の詳細については後述する。
【００２２】
制御部１１０は、ダビング装置１１７の各部の動作を中央制御する。具体的には、制御部１１０は、ＣＰＵ、ＲＯＭ、ＲＡＭなどを有しており（いずれも図示しない）、ＣＰＵがＲＯＭに記録されたプログラムデータをＲＡＭの作業領域に展開して順次実行することで、選局、録画、再生などの制御を行う。
【００２３】
なお、入力部１０９と表示部１０６は、ダビング装置１１７と別体であっても一体であってもよい。また、コンテンツ管理部１１３とコピーリスト管理部１１４は、第１の記録媒体１１２と別体であっても一体であってもよい。例えばコンテンツ管理部１１３が管理するコンテンツ管理情報やコピーリスト管理部１１４が管理するコピーリストは、コピー制御部１１１の制御の下で第１の記録媒体１１２に記録されて管理されてもよい。
【００２４】
ここで、コピーリストの作成手順について、図１を参照して説明する。コピー制御部１１１は、第１の記録媒体１１２に記録されたコンテンツ一覧をコンテンツ管理部１１３から表示部１０６に出力する。表示部１０６に表示されたコンテンツ一覧を閲覧したユーザは、入力部１０９からコピーリストを作成したコンテンツを複数選択する。
【００２５】
コピー制御部１１１は、制御部１１０より、選択されたコンテンツを示す情報を受け取ると、コンテンツ管理部１１３より、それぞれのコンテンツのコピー可能回数を抽出し、選択されたコンテンツの中で最小のコピー可能回数を判定する。そして、コピー制御部１１１は、判定された最小のコピー可能回数を、作成するコピーリスト全体のコピー可能回数としたコピーリストを作成する。コピー制御部１１１で作成されたコピーリストはコピーリスト管理部１１４に送られ、コピーリスト管理部１１４で管理される。
【００２６】
図２は、コピーリスト管理部１１４で管理されるコピーリストを例示した概念図である。図２に示すように、コピーリスト２０１は、上述したコピーリストの作成時にコピーするコンテンツとして選択されたコンテンツの管理ＩＤと、そのコンテンツのコピー可能回数を含むデータである。また、コピーリスト２０１にはコピー制御部１１１で判定された最小のコピー可能回数（図示例では「１」）が含まれている。なお、図２では、１つのコンテンツに対して管理ＩＤとコピー可能回数を含むコピーリスト２０１を例示したが、コピーリスト２０１は番組名やジャンルなどの情報を含んでいてもよい。
【００２７】
なお、本実施形態で例示するコピーリストとは、そのコピーリストに含まれるコンテンツの一括コピーが可能なコンテンツをリストとして示すものである。具体的には、コンテンツの再生順序を指定したプレイリストをコピーリストとしても利用することができる。ただし、複数のコンテンツを一括してコピーできるコンテンツのリストであれば、これに限らない。また、コピーリストを構成するコンテンツＡ〜Ｆの番組に特定の条件はない。例えば、コピーリストの作成形態としては、ユーザのお気に入り番組をまとめたお気に入りリストでもよいし、連続ドラマのような同番組をまとめたシリーズ番組リストであってもよい。
【００２８】
次に、コピーリストに基づいてコピーを行う際の手順について説明する。コピー制御部１１１は、コピーリスト管理部１１４で管理されているコピーリストの一覧を、コピーリスト管理部１１４から表示部１０６に出力させて表示出力させる。ユーザは、入力部１０９からコピーしたいコピーリストを選択し、コピー先として第２の記録媒体１１６を選択する。制御部１１０は、入力部１０９により選択されたコピーリストを示す情報とコピー先を示す情報をコピー制御部１１１へ出力する。
【００２９】
コピー制御部１１１は、コンテンツ管理部１１３より選択されたコピーリストに含まれるコンテンツを得る。また、コピー制御部１１１は、外部記録媒体制御部１１５に第２の記録媒体１１６へコピーさせるための指示を行う。次いで、コピー制御部１１１は、コピーリストに含まれるコピー対象のコンテンツの第１の記録媒体１１２から第２の記録媒体１１６へのコピーを実行する。このコピーを行った際に、コピー制御部１１１は、コピー対象のコンテンツについて、コンテンツ管理部１１３によって管理されるコピー可能回数を１回ずつ減らす。
【００３０】
コピー処理の後、コピー処理を行ったコピーリストについては、コピー制御部１１１において、再びそれぞれのコンテンツのコピー可能回数に基づいて、更新・再作成される。図３は、図２に例示したコピーリスト２０１をコピー処理の対象とした場合のコピー処理後のコピーリスト３０１を例示した概念図である。図３に示すように、コピーリスト３０１では、コピーリスト２０１と比較して、コピー可能回数が１ずつ減少している。同様に、コピーリスト３０１における最小のコピー可能回数は０となっている。なお、コピー処理後のコピーリスト再作成手順についての詳細は後述する。
【００３１】
次に、図１に例示したコピー制御部１１１の機能的な構成について具体的に図４に示す。なお、図４において、図１中の構成と同一のものについては同一の符号を付して表す。
【００３２】
図４に示すように、タイトル選択部４０１は、コピーリスト管理部１１４で管理されているコピーリストの一覧を、制御部１１０へ出力し、その制御部１１０の制御により表示部１０６へ表示出力させてユーザへ提示する。制御部１１０は、入力部１０９に入力されたユーザの選択指示を受けて処理対象のコピーリストを決定してタイトル選択部４０１へ出力する。タイトル選択部４０１は、制御部１１０から出力されたコピーリストをコピー処理部４０２とコピーリスト再作成判定部４０３へ出力する。
【００３３】
コピー処理部４０２は、タイトル選択部４０１から受け取ったコピーリストに含まれるコピー処理の対象コンテンツを、コンテンツ管理部１１３より抽出する。そして、コピー処理部４０２は、抽出したコンテンツを外部記録媒体制御部１１５を介して、コピー先である第２の記録媒体１１６へコピーするコピー処理を行う。また、コピー処理部４０２は、コンテンツ管理部１１３によって管理されるコピー処理の対象コンテンツのコピー可能回数を１回ずつ減らし、コピーリストのコピー可能回数に変更があったことをコピーリスト再作成判定部４０３に通知する。
【００３４】
コピーリスト再作成判定部４０３は、コピー処理部４０２より、コピー可能回数に変更があったことを受け取ると、タイトル選択部４０１から受け取ったコピーリストに含まれるコンテンツのコピー可能回数を、コンテンツ管理部１１３より抽出する。そして、コピーリスト再作成判定部４０３は、それぞれのコンテンツのコピー可能回数を比較して、最小コピー可能回数を判定し、判定結果をコピーリスト作成部４０５に出力する。なお、コピーリスト再作成判定部４０３は、最小コピー可能回数が０回だった場合には、コピーリストに含まれる個々のコンテンツについて、コピーが許可されたコピー可能コンテンツ、コピーが許可されないコピー不可能コンテンツのどちらであるかを判別する。そして、コピーリスト再作成判定部４０３は、コピー可能コンテンツであり、コピー可能回数が残されているコンテンツが含まれる場合はコピーリスト再作成通知をコピーリスト作成基準管理部４０４に通知する。
【００３５】
コピーリスト作成基準管理部４０４は、コピーリスト再作成判定部４０３より通知を受け付けると、予め内部メモリなどに設定されたコピーリスト作成基準候補リストを、制御部１１０へ出力する。すなわち、コピーリスト作成基準管理部４０４は、指針情報としてのコピーリスト作成基準を複数記憶する指針情報記憶手段である。制御部１１０へ出力されたコピーリスト作成基準候補リストは、その制御部１１０の制御により表示部１０６へ表示出力されてユーザへ提示される。制御部１１０は、入力部１０９に入力されたユーザの選択指示を受け付けて、新たなコピーリスト作成基準を決定してコピーリスト作成基準管理部４０４へ出力する。コピーリスト作成基準管理部４０４は、制御部１１０から出力されたコピーリスト作成基準をコピーリスト作成部４０５へ出力する。
【００３６】
コピーリスト作成部４０５は、コピーリスト作成基準管理部４０４から入力されたコピーリスト作成基準に基づいて、コピーリスト再作成判定部４０３によって判定された最小コピー可能回数をコピーリスト全体のコピー可能回数としたコピーリストを作成する。コピーリスト作成部４０５によって作成されたコピーリストはコピーリスト管理部１１４に送られて管理される。具体的には、コピーリスト作成部４０５は、コピー処理によりコピー可能回数に変更があった際に、その変更後の最小コピー可能回数をコピー処理後のコピーリスト全体のコピー可能回数として、コピー処理後のコピーリストを再作成する。
【００３７】
次に、コピーリストによるコピー処理後、新たなコピーリストを作成するまでのダビング装置１１７における動作について説明する。図５は、コピーリストのコピー処理後にコピーリストを再作成するダビング装置１１７の動作を説明するための処理手順を示すフローチャートである。
【００３８】
図５に示すように、タイトル選択部４０１は、コピーリスト管理部１１４からコピーリスト一覧を取得して制御部１１０へ出力する。制御部１１０は、タイトル選択部４０１からのコピーリスト一覧を表示部１０６に表示させて入力部１０９からのユーザ選択を受け付けて、コピー処理対象となるコピーリストを決定する（Ｓ５０１）。
【００３９】
次いで、コピー処理部４０２は、選択されたコピーリストに含まれるコンテンツに対して、コンテンツ管理部１１３から、外部記録媒体制御部１１５に対してコピー処理を実行する。次いで、コピー処理部４０２は、コピー処理されたコンテンツそれぞれに対し、コンテンツ管理部１１３で管理されるコピー可能回数を１回ずつ減らす（Ｓ５０２）。
【００４０】
次いで、コピーリスト再作成判定部４０３は、選択されたコピーリストに含まれるコンテンツそれぞれのコピー可能回数の抽出を行う（Ｓ５０３）。具体的には、Ｓ５０３において、コピーリスト再作成判定部４０３は、コピー処理部４０２からコピー可能回数に変更があったことを通知された際に、タイトル選択部４０１で選択されたコピーリストに関して上述した抽出を行う。
【００４１】
次いで、コピーリスト再作成判定部４０３は、抽出されたそれぞれのコンテンツのコピー可能回数を比較し、コピーリストに含まれるコンテンツの最小コピー可能回数を判定する（Ｓ５０４）。次いで、コピーリスト再作成判定部４０３は、判定されたコピーリスト全体のコンテンツにおける最小コピー可能回数が０であるか否かを判定し、処理を分岐する（Ｓ５０５）。
【００４２】
０回でない（Ｓ５０５：ＮＯ）場合、コピーリスト作成部４０５は、コピーリスト全体のコンテンツのコピー可能回数を、判定された最小コピー可能回数に変更したコピーリストを作成する（Ｓ５１２）。
【００４３】
０回である（Ｓ５０５：ＹＥＳ）場合は、コピーリストにコピー不可コンテンツが少なくとも１つ以上存在するため、コピーリスト全体のコンテンツのコピーは不可能な状態ということになる。しかし、コピーリストに含まれるコンテンツのコピー可能回数にばらつきがあった場合は、コピー可能回数が残存するコンテンツが含まれている可能性がある。そこで、コピーリスト再作成判定部４０３は、処理対象のコピーリストの中に、コピー可能回数が残存するコンテンツが含まれているか否かを判定し、処理を分岐する（Ｓ５０６）。
【００４４】
含まれていない（Ｓ５０６：ＮＯ）場合は、コピーリスト中の全てのコンテンツがコピー不可能ということである。したがって、コピーリスト作成部４０５は、コピーリストの再作成は行わず、コピーリスト管理部１１４から処理対象のコピーリストを消去する（Ｓ５１１）。
【００４５】
含まれている（Ｓ５０６：ＹＥＳ）場合は、コピー不可のコンテンツとコピー可能なコンテンツの両方がコピーリストに含まれていることになる。つまり、コピー可能なコンテンツのみを用いて新たなコピーリストを作成することが可能ということである。そこで、コピーリスト作成基準管理部４０４は、コピー可能なコンテンツのみを用いた新たなコピーリストを作成するための新たなコピーリスト作成基準をユーザに提供する（Ｓ５０７）。
【００４６】
次いで、コピーリスト作成部４０５は、ユーザが所望するコピーリスト作成基準の選択を入力部１０９から受け付ける（Ｓ５０８）。次いで、コピーリスト作成基準管理部４０４は、入力部１０９を介してユーザから受け付けたコピーリスト作成基準の選択に応じて、新たなコピーリストの作成基準を決定する（Ｓ５０９）。
【００４７】
次いで、コピーリスト作成部４０５は、決定された作成基準に基づいて、新たなコピーリストを作成する（Ｓ５１０）。この際、作成される新たなコピーリストに含まれるコンテンツの中の最小コピー可能回数が、コピーリスト全体のコピー可能回数となる。上述した処理により再作成されたコピーリストは、コピーリスト管理部１１４に送られて管理される。
【００４８】
以上の処理フローにより、ダビング装置１１７は、コピー処理後のコピーリストにコピー不可コンテンツが含まれる場合は、新たなコピーリスト作成基準をユーザに提供する。このコピーリスト作成基準は、予めＲＯＭなどのメモリに記録された設定情報に基づくものとする。次いで、ダビング装置１１７は、入力部１０９からユーザの選択指示を受け付け、その指示に応じたコピーリスト作成基準に基づいた新たなコピーリストを作成することで、ユーザが所望するコピーリストを作成することができる。
【００４９】
図６は、新たなコピーリスト作成基準を提示する表示画面の一例を示す概念図である。Ｓ５０７においては、図６に示すような表示画面が表示部１０６に表示されることで、コピーリスト作成基準がユーザに提示される。図示例では、コピーリスト作成基準として、３パターンをユーザに提示している。
【００５０】
１つ目のコピーリスト作成基準は、「コピー可能なコンテンツ全てでコピーリストを作成する」である。これは、コピーリスト中のコピー不可（コピー可能回数０回）のものを除いた、コピー可能なコンテンツ全てを対象にコピーリストを再作成するという作成基準である。
【００５１】
２つ目のコピーリスト作成基準は、「コピー不可コンテンツの前後で別々にコピーリストを作成する」である。これは、コピーリストに含まれるコンテンツを順番に視聴することに意味があるものを想定した作成基準である。すなわち、コピーリストは、第１の記録媒体１１２に記憶されたコンテンツの中から再生部１０８で再生すべき再生対象のコンテンツを再生順序に並べたプレイリストとして機能してもよい。あるいは、プレイリストをコピーリストとして用いてもよい。この場合、制御部１１０は、コピーリストに従って第１の記録媒体１１２に記憶されたコンテンツを順次読み出して再生部１０８での再生制御を行うことで、コピーリストの順番にコンテンツを再生することができる。
【００５２】
例えば、連続ドラマやアニメなどのシリーズもののコピーリストであり、関連したコンテンツが連続したコピーリストが構成されている場合を想定する。この場合は、途中の放送回のコンテンツがコピー不可になり、コピーリストから抜ける状態になることがある。途中回のコンテンツが抜けたにも関わらず、シリーズ番組のコピーリストとして存在すると、コピー・再生した際に繋がりのないコンテンツが連続で再生されてしまい、ユーザにとって好ましくない。そこで、２つ目のコピーリスト作成基準では、抜ける回のコンテンツの前後で別々にコピーリストを作成させる。この作成基準で作成された各コピーリストでは、関連したコンテンツが連続したシリーズ番組となり、各コピーリストでコピー・再生した際には関連したコンテンツが連続でコピー・再生される。したがって、２つ目のコピーリスト作成基準は、コピーリストに従った再生時におけるユーザの利便性を考えた作成基準であるといえる。
【００５３】
３つ目のコピーリスト作成基準は、「新たなコピーリストは作成しない」である。これは、コピーリストに含まれる全てのコンテンツがコピー可能であることに意味がある場合や、コピーリスト中の大半のコンテンツがコピー不可になり、これ以上コピーする必要がない状態になった場合を想定した作成基準である。
【００５４】
しかし、コピーリスト作成基準候補はこの３パターンに限るものではなく、他の作成基準を提示しても良く、または、ユーザが作成基準候補をあらかじめ登録しておいても良い。なお、本実施形態では、少なくとも２パターン以上のコピーリスト作成基準をユーザに提示するものとする。
【００５５】
図７、８は、本実施形態における、コピーリストの作成結果を例示する概念図である。上記図示例では、図３に例示したコピーリスト３０１から、図６に例示した２つのコピーリスト作成基準（１つ目及び２つ目）に基づいてコピーリストを作成した２つの作成結果を提示している。
【００５６】
図７は、図６における「コピー可能なコンテンツで作成」を選択した場合に作成されるコピーリスト７０１の構成を例示している。図７に示すように、コピーリスト７０１は、図３に例示したコピーリスト３０１のコピー可能なコンテンツＡ、Ｂ、Ｄ、Ｅ、Ｆより作成されている。そして、コピーリスト７０１は、コピーリストに含まれるコンテンツの中での最小コピー可能回数であるコンテンツＡの３回がコピーリスト全体のコピー可能回数となっている。
【００５７】
図８は、図６における「コピー不可コンテンツの前後で別々に作成」を選択した場合に作成されるコピーリスト８０１、８０２の構成を例示している。図８に示すように、コピーリスト８０１、８０２は、図３に例示したコピーリスト３０１において、コピー不可コンテンツであるコンテンツＣの前後で作成された２つのコピーリストである。すなわち、コピーリスト８０１は、コピーリスト３０１におけるコンテンツＣまでの前部分であるコンテンツＡ、Ｂより作成されている。そして、コピーリスト８０１は、コピーリストに含まれるコンテンツの中で最小コピー可能回数であるコンテンツＡの３回がコピーリスト全体のコピー可能回数となっている。また、コピーリスト８０２は、コピーリスト３０１におけるコンテンツＣ以降の後部分であるコンテンツＤ、Ｅ、Ｆより作成されている。そして、コピーリスト８０２は、コピーリストに含まれるコンテンツの中で最小コピー可能回数であるコンテンツＤの５回がコピーリスト全体のコピー可能回数となっている。
【００５８】
また、最初のコピーリスト作成時の処理では、コピーリストの作成対象として選択されたコンテンツを示す情報がコピーリスト再作成判定部４０３に送られ、対象コンテンツの中で最小コピー可能回数が求められることとなる。そして、求められた最小コピー可能回数をコピーリスト全体のコピー可能回数とすることで、コピーリスト作成部４０５によってユーザが所望するコピーリストが作成される。この作成されたコピーリストはコピーリスト管理部１１４によって管理される。
【００５９】
なお、コピーリストに含まれる一つ又は複数のコンテンツをコピーリストを用いずに選択してコピーするコピー処理や、コピー処理を行うコピーリストに含まれるコンテンツが他のコピーリストにも含まれている場合も考えられる。このような場合であっても、上述した処理と同様の処理を行うことで、コピーリストが再作成される。具体的には、コピーリスト再作成判定部４０３は、コピーを実施したコンテンツのタイトルをタイトル選択部４０１から受け取る。そして、コピーリスト再作成判定部４０３は、コピー処理部４０２でコピー処理が完了し、コピー可能回数に変化のあった旨の通知を受け取ると、コピーが実施されたコンテンツの新しいコピー可能回数をコンテンツ管理部１１３で抽出させる。次いで、コピーリスト作成部４０５は、抽出されたコンテンツが含まれるコピーリストをコピーリスト管理部１１４より抽出させ、抽出されたコピーリストに対して、上述した内容と同様のコピーリスト再作成処理を行う。
【００６０】
［第２の実施形態］
第２の実施形態では、コピーリストからのコピー処理後のコピーリスト再作成処理において、コピーリストを構成するコンテンツに基づいて新たなコピーリスト作成基準を自動判定し、コピーリストを再作成する処理について説明する。
【００６１】
図９は、第２の実施形態に係るダビング装置１１７ａの構成を示すブロック図である。なお、図９において、図１で例示したダビング装置１１７と同一の処理を行うものについては、同一の符号を付して表すものとする。以下の説明では、第１の実施形態におけるダビング装置１１７との相違点のみを説明する。
【００６２】
図９に示すように、コピー制御部９０１は、第１の記録媒体１１２に記録されたコンテンツの第２の記録媒体１１６へのコピー（又はダビング）を実行する。コピー制御部９０１は、このコピーを実行した際にはコンテンツ管理部１１３で管理される第１の記録媒体１１２に記録されたコピー対象のコンテンツのコピー可能回数を１ずつ減らす。また、コピー制御部９０１は、コンテンツのコピー可能回数の抽出や、コピー可能回数に基づいた判定を行い、処理対象のコピーリストに含まれるコンテンツからコピーリスト作成基準を決定し、コピーリストを作成する。なお、コピー制御部９０１の構成や処理の詳細については後述する。コピー制御部９０１によって作成されたコピーリストは、コピーリスト管理部１１４へ送られて管理される。
【００６３】
ここで、コピー制御部９０１の具体的な構成を図１０を参照して説明する。図１０は、コピー制御部９０１の機能的な構成を示すブロック図である。なお、図１０において、図４で例示したコピー制御部１１１と同一の動作を行うものについては、同一の符号を付して表すものとする。以下の説明では、第１の実施形態におけるコピー制御部１１１との相違点のみを説明する。
【００６４】
図１０に示すように、コピーリスト作成基準判定部１００１は、コピーリスト作成基準管理部１００２よりコピーリストの再作成が通知されると、コピーリスト管理部１１４から対象のコピーリストを取得する。ついで、コピーリスト作成基準判定部１００１は、予めメモリなどに設定されたコピーリスト作成基準設定方法に基づいて、コピーリスト作成基準管理部１００２より受け取ったコピーリスト作成基準候補の中より、コピーリスト作成基準を決定する。決定されたコピーリスト作成基準は、再びコピーリスト作成基準管理部１００２に送られる。なお、コピーリスト作成基準判定部１００１における、コピーリスト作成基準設定方法に基づいたコピーリスト作成基準の決定の詳細については後述する。
【００６５】
コピーリスト作成基準管理部１００２は、コピーリスト再作成判定部４０３よりコピーリスト再作成の通知を受け取ると、予めメモリなどに設定されたコピーリスト作成基準候補を、コピーリスト作成基準判定部１００１に送る。次いで、コピーリスト作成基準管理部１００２は、コピーリスト作成基準判定部１００１が決定した新たなコピーリスト作成基準を受け取ると、コピーリスト作成部４０５に出力する。
【００６６】
なお、コピーリスト作成基準管理部１００２は、決定されたコピーリスト作成基準を、おすすめコピーリスト作成基準として他のコピーリスト作成基準とともにユーザに提示し、ユーザが確認して選択できるようにしてもよい。このコピーリスト作成基準のユーザへの提示については、前述した処理と同様であるため、その説明は省略する。また、コピーリスト作成基準管理部１００２は、表示部１０６へ設定画面を表示させ、入力部１０９からユーザの入力を受け付けることで、コピーリスト作成基準の判定方法を予めユーザが登録しておけるようにしてもよい。
【００６７】
次に、本実施形態におけるコピーリスト作成基準判定方法について説明する。コピーリストにおける主なコンテンツ構成としては、２つのパターンが考えられる。１つ目は、ユーザのお気に入り番組をまとめて管理・コピーする場合などの、複数の異なった番組のコンテンツからコピーリストが構成されているパターンである。２つ目は、同番組をまとめて管理・コピーするための、同番組のコンテンツからコピーリストが構成されているパターンである。また、同番組からコピーリストが構成されるパターンの中でも、番組のジャンルとしては、バラエティや音楽などの一話完結ものと、ドラマ・アニメなどのシリーズものの２パターンがある。
【００６８】
複数の番組や、一話完結ものから構成されるコピーリストの場合は、そのコピーリストをプレイリストとして再生した場合の再生順が実際の放送順と前後したり、途中の回のコンテンツが抜けて再生されたとしても、問題なく楽しむことができると考えられる。しかし、シリーズものから構成されるコピーリストをプレイリストとする場合は、放送回の順番に連続で見ることに意味があるため、途中の回のコンテンツが抜けてしまうと話がわからなくなる虞がある。このような事態はユーザにとって好ましくない。また、１つのコピーリストが一連のコンテンツでまとまっている方が、１つの記録媒体には一連のコンテンツをまとめてコピーしておく場合においても有用である。
【００６９】
そこで、本実施形態では、コピーリストの構成が、同番組のシリーズものから構成されているか否かを判定し、その判定結果に応じてコピーリスト作成基準を自動で決定する。具体的には、第１の実施形態で例示したコピーリスト作成基準を用いて、シリーズものと判定されたコピーリストの作成基準は、「コピー不可コンテンツの前後で別々に作成」とする。また、シリーズものでないと判定されたコピーリストの作成基準は、「コピー可能なコンテンツで作成」とする。
【００７０】
図１１は、コピーリストのコピー処理後に自動でコピーリスト作成基準を判定し、新たなコピーリストを再作成するダビング装置１１７ａの動作を説明するための処理手順を示すフローチャートである。なお、図５に例示したフローチャートと同一の動作を行うステップについては同一の符号を付して表すものとし、第１の実施形態との相違点であるＳ１１０１以降の処理フローのみを以下では説明する。
【００７１】
図１１に示すように、処理対象のコピーリスト全体のコピー可能回数が０回でコピー可能回数が残されたコンテンツがある（Ｓ５０６：ＹＥＳ）場合、コピーリスト再作成判定部４０３はコピーリスト作成基準管理部１００２にコピーリストの再作成を指示する。次いで、その再作成の指示を受けたコピーリスト作成基準管理部１００２は、予めメモリなどに設定された作成基準候補をコピーリスト作成基準判定部１００１に送る。すると、コピーリスト作成基準判定部１００１は、コピーリスト管理部１１４より、処理対象のコピーリストを構成するコンテンツを示す情報として、それぞれのコンテンツの番組名を抽出する。そして、コピーリスト作成基準判定部１００１は、抽出された番組名を比較し、コピーリスト中のコンテンツが全て同番組名であるか否かを判定し、処理を分岐する（Ｓ１１０１）。
【００７２】
コピーリスト作成基準判定部１００１は、同番組名ではない（Ｓ１１０１：ＮＯ）場合はＳ１１０５へ処理を進める。また、同番組名である（Ｓ１１０１：ＹＥＳ）場合は同番組をまとめたコピーリストであることがわかる。したがって、コピーリスト作成基準判定部１００１は、Ｓ１１０１に続いてコンテンツのジャンルがドラマ又はアニメであるか否かを判定し、処理を分岐する（Ｓ１１０２）。すなわち、Ｓ１１０２では、ドラマやアニメなどで関連したコンテンツの連続したコピーリストであるか否かを判定している。
【００７３】
コピーリスト作成基準判定部１００１は、ジャンルがドラマでもアニメでもなかった（Ｓ１１０２：ＮＯ）場合はＳ１１０５へ処理を進める。また、ジャンルがドラマ又はアニメであった（Ｓ１１０２：ＹＥＳ）場合は処理対象のコピーリストのコンテンツ構成がシリーズものであると判定される（Ｓ１１０３）。ついで、コピーリスト作成基準判定部１００１は、コピーリスト作成基準を「コピー不可コンテンツの前後で別々に作成」と決定する（Ｓ１１０４）。
【００７４】
Ｓ１１０５では、処理対象のコピーリストのコンテンツ構成がシリーズものでないと判定される。次いで、コピーリスト作成基準判定部１００１は、コピーリスト作成基準を「コピー可能なコンテンツで作成」と決定する（Ｓ１１０６）。
【００７５】
上述した処理により決定されたコピーリスト作成基準は、コピーリスト作成基準管理部１００２からコピーリスト作成部４０５に送られ、それぞれ決定されたコピーリスト作成基準に基づいて、新たなコピーリストが再作成される。この際、新たなコピーリストに含まれるコンテンツの中の最小コピー可能回数が、コピーリスト全体のコピー可能回数となる。このようにして作成されたコピーリストは、コピーリスト管理部１１４に送られて管理される。
【００７６】
以上の処理フローにより、ダビング装置１１７ａは、コピー処理後のコピーリストにコピー不可コンテンツが含まれる場合、新たなコピーリスト作成基準を、処理対象のコピーリストに含まれるコンテンツから判定する。ついで、ダビング装置１１７ａは、判定結果の応じたコピーリスト作成基準でコピーリストを再作成する。したがって、ダビング装置１１７ａは、ユーザが所望するであろうコピーリストを自動で再作成することができる。
【００７７】
図１２〜図１４は、本実施形態における、コピーリストの作成結果を例示する概念図である。図１２、図１３は、コピーリスト作成基準判定部１００１によりシリーズものでないと判定され、コピーリスト作成基準を「コピー可能なコンテンツで作成」として再作成されるコピーリストの例である。図１４は、コピーリスト作成基準判定部１００１によりシリーズものであると判定され、コピーリスト作成基準を「コピー不可コンテンツの前後で別々に作成」として再作成されるコピーリストの例である。
【００７８】
図１２に示すように、コピーリスト１２０１は、同番組名から構成されるコピーリストではない。したがって、コピーリスト１２０１は、コピーリスト作成基準判定部１００１においてシリーズもののコンテンツ構成ではないと判定され、コピーリスト作成基準を「コピー可能なコンテンツで作成」として再作成される。コピーリスト１２０２は、コピーリスト１２０１を上述したコピーリスト作成基準で再作成した後のコピーリストである。コピーリスト１２０２は、コピー可能回数が０回の番組Ｃ１を除いたコピー可能なコンテンツである番組Ａ１、Ｂ１、Ｄ１から構成される。また、コピーリスト１２０２は、コピーリストに含まれるコンテンツの中で最小コピー可能回数である４回がコピーリスト全体のコピー可能回数となっている。
【００７９】
図１３に示すように、コピーリスト１３０１は、同番組名である番組Ｂ２から構成されるが、ジャンルが音楽のコピーリストである。したがって、コピーリスト１３０１は、コピーリスト作成基準判定部１００１においてシリーズもののコンテンツ構成ではないと判定され、コピーリスト作成基準を「コピー可能なコンテンツで作成」として再作成される。コピーリスト１３０２は、コピーリスト１３０１を上述したコピーリスト作成基準で再作成した後のコピーリストである。コピーリスト１３０２は、コピー可能回数が０回である管理ＩＤ＿３のコンテンツを除いたコピー可能なコンテンツから構成される。また、コピーリスト１３０２は、コピーリストに含まれるコンテンツの中で最小コピー可能回数である４回がコピーリスト全体のコピー可能回数となっている。
【００８０】
図１４に示すように、コピーリスト１４０１は、同番組名でジャンルがドラマのコンテンツから構成されるコピーリストである。したがって、コピーリスト１４０１は、コピーリスト作成基準判定部１００１においてシリーズもののコンテンツ構成であると判定され、コピーリスト作成基準を「コピー不可コンテンツの前後で別々に作成」として再作成される。具体的には、コピー不可コンテンツである管理ＩＤ＿３の第３話の前後で２つのコピーリストが作成される。コピーリスト１４０２、１４０３は、コピーリスト１４０１を上述したコピーリスト作成基準で再作成した後の２つのコピーリストである。コピーリスト１４０２は、第３話の前部分である第１話、第２話より作成されている。コピーリスト１４０２は、コピーリストに含まれる最小コピー可能回数である５回がコピーリスト全体のコピー可能回数となっている。コピーリスト１４０３は、第３話の後部分である第４話〜第６話より作成されている。コピーリスト１４０３は、コピーリストに含まれる最小コピー可能回数である７回がコピーリスト全体のコピー可能回数となっている。
【００８１】
なお、本実施形態では、シリーズものから構成されるコピーリストのコンテンツ順が、コピーリスト作成時に放送順に並び替えてあるものを想定している。しかし、実際のコピーリストが放送順にコンテンツがソートされているとは限らない。したがって、コピーリスト作成時において、コピーリスト作成部４０５は、コンテンツに含まれる情報から放送日時やシリーズ記述子のepisode_number（話数）を抽出・比較し、並び替える機能を有してもよい。
【００８２】
［第３の実施形態］
第３の実施形態では、コピーリストからのコピー処理後のコピーリスト作成処理において、コピー可能回数ありのコンテンツからコピーリスト作成だけでなく、コピー不可コンテンツのリストを作成する処理について説明する。
【００８３】
図１５は、第３の実施形態に係るダビング装置１１７ｂの構成を示すブロック図である。なお、図１５において、図１で例示したダビング装置１１７と同一の処理を行うものについては、同一の符号を付して表すものとする。以下の説明では、第１の実施形態におけるダビング装置１１７との相違点のみを説明する。
【００８４】
図１５に示すように、コピー制御部１５０１は、第１の記録媒体１１２に記録されたコンテンツの第２の記録媒体１１６へのコピー（又はダビング）を実行する。コピー制御部１５０１は、このコピーを実行した際にはコンテンツ管理部１１３で管理される第１の記録媒体１１２に記録されたコピー対象のコンテンツのコピー可能回数を１ずつ減らす。コピー制御部１５０１は、コンテンツのコピー可能回数の抽出や、コピー可能回数に基づいた判定を行い、ユーザの選択によるコピーリスト作成基準に基づいてコピーリストを作成する。また、コピー制御部１５０１は、コピー可能回数が０回であったためにコピーリストの作成対象から除外されたコピーが許可されないコンテンツ（コピー不可コンテンツ）のみを含んだコピー不可リストを作成する。このコピー不可リストの作成の詳細は後述する。
【００８５】
ここで、コピー制御部１５０１の具体的な構成を図１６を参照して説明する。図１６は、コピー制御部１５０１の機能的な構成を示すブロック図である。なお、図１６において、図４で例示したコピー制御部１１１と同一の動作を行うものについては、同一の符号を付して表すものとする。以下の説明では、第１の実施形態におけるコピー制御部１１１との相違点のみを説明する。
【００８６】
図１６に示すように、コピー不可リスト作成部１６０１は、タイトル選択部４０１でコピーリストを再作成することを通知されると、コピーリスト管理部１１４により再作成時に除外されたコンテンツを抽出する。具体的には、コピーリストの再作成時において、コピー不可コンテンツであるために、再作成されるコピーリストから除外されたコンテンツが抽出される。次いで、コピー不可リスト作成部１６０１は、抽出されたコピー不可コンテンツより、コピー不可リストを作成する。作成されたコピー不可リストは、コピーリスト管理部１１４に送られ、コピーリスト作成部４０５で再作成されたコピーリストと併せて管理される。
【００８７】
ここで、本実施形態で作成する、コピー不可リストについて説明する。前述したとおり、再作成するコピーリストは、コピー可能回数が残存するコンテンツでなければならないため、コピー可能回数が０であるコンテンツが除外される。したがって、コピーリストの再作成時には、除外されるコンテンツが発生する場合がある。このような場合は、ユーザの利便性を高めるため、どのコンテンツがコピー不可コンテンツであるか、どのコンテンツがコピーリストから除外されたのか等の情報を、ユーザに対し通知した方がよい。
【００８８】
特に、シリーズもののコンテンツから構成されるコピーリストなど、全コンテンツが揃うことをユーザが所望するであろうコピーリストである場合は、どの回のコンテンツが抜けたかをユーザは認識したいと考えるであろう。また、ユーザは、抜けたコンテンツを把握することで、再放送があった場合にそのコンテンツの録画を行い、コピー可能回数を復活させたいと考える場合もある。
【００８９】
そこで、コピーリスト再作成の際に、コピーリストから除外されたコピー可能回数が０回のコンテンツからなるコピー不可リストを作成する。そして、作成されたコピー不可リストをユーザに提示することで、ユーザに再作成されたコピーリストにおけるコンテンツ構成や、その再作成の際にコピー不可とされたコンテンツを、ユーザが認識できるようにする。
【００９０】
図１７は、コピーリストのコピー処理後、新たなコピーリストとコピー不可リストを作成するダビング装置１１７ｂの動作を説明するための処理手順を示すフローチャートである。なお、図５に例示したフローチャートと同一の動作を行うステップについては同一の符号を付して表すものとし、第１の実施形態との相違点であるＳ１７０１に関する処理フローのみを以下では説明する。
【００９１】
図１７に示すように、コピーリスト作成部４０５は、処理対象のコピーリストからコピー可能回数が残存するコンテンツのみでコピーリストを再作成することが決まると、その旨をコピー不可リスト作成部１６０１に通知する（Ｓ５０９）。コピーリストを再作成することが通知されたコピー不可リスト作成部１６０１は、コピーリスト管理部１１４より、処理対象のコピーリストの中で、コピー可能回数が０のコピー不可コンテンツであり、再作成の対象から除外されたコンテンツの情報を抽出する。次いで、コピー不可リスト作成部１６０１は、抽出されたコピー不可コンテンツからなるコピー不可リストを作成する（Ｓ１７０１）。このようにして作成されたコピー不可リストは、コピーリスト管理部１１４に送られ、Ｓ５１０で再作成されたコピーリストと併せて管理される。
【００９２】
以上の処理フローにより、ダビング装置１１７ｂは、コピー処理後のコピーリストにコピー不可コンテンツが含まれていた場合、ユーザの所望する新たなコピーリストと、コピー不可リストを併せて作成することができる。なお、本実施形態では、コピー不可リストの作成については、コピーリストの再作成と同時に自動で行うようにした。しかしながら、コピー不可リスト作成を行う・行わないについては、入力部１０９を介してユーザが選択可能であり、その選択指示に応じて行われるものであってもよい。
【００９３】
また、再作成されたコピーリストを表示部１０６に表示してユーザに提示する際には、コピー不可リストも併せて表示部１０６に表示し、ユーザにコピー不可コンテンツを認識させてもよい。また、コピー不可リストの表示部１０６への表示は、ユーザに新たなコピーリスト作成基準を提示する際（Ｓ５０７）であってもよい。この場合は、複数のコピーリスト作成基準の中から選択されているコピーリスト作成基準に基づいて仮のコピー不可リストを作成し、作成された仮のコピー不可リストを表示部１０６へ表示する。このように、コピーリスト作成基準をユーザが選択する際に、ユーザに予めコピー不可リストを提示することで、どのコンテンツがコピーリストから除外されるかをユーザに認識させることができる。
【００９４】
図１８、図１９は、本実施形態における、コピーリスト、コピー不可リストの作成例を示す概念図である。
【００９５】
図１８に示すように、コピーリスト１８０１は、コピーリスト・コピー不可リスト作成前のコピーリストの例である。コピーリスト１８０１は、ジャンルがドラマであるシリーズもののコピーリストであり、第３話、第４話がコピー不可コンテンツとなっている。そこで、コピーリスト作成基準を「コピー不可コンテンツの前後で別々に作成」として、コピーリスト・コピー不可リストが作成される。
【００９６】
具体的には、図１９に示すような、コピーリスト１９０１、１９０２、コピー不可リスト１９０３が作成される。コピーリスト１９０１は、コピーリスト１８０１におけるコピー不可コンテンツより前部分として、第１話、第２話のコンテンツより作成されたコピーリストである。同様に、コピーリスト１９０２は、コピーリスト１８０１におけるコピー不可コンテンツより後部分として、第５話〜第１０話のコンテンツより作成されたコピーリストである。コピー不可リスト１９０３は、コピー不可コンテンツである第３話、第４話から作成されたリストである。なお、処理対象のコピーリストがシリーズものの場合、ダビング装置１１７ｂは、作成したコピー不可リストを用いて、どの放送回のコンテンツが抜けているかをユーザに通知するだけでなく、他の処理を行ってもよい。たとえば、ダビング装置１１７ｂは、コピー不可リストのコンテンツの再放送を検出した場合に、そのコンテンツを自動録画するためのリストとしてコピー不可リストを用いてもよい。
【００９７】
なお、上述した実施の形態における記述は、一例を示すものであり、これに限定するものではない。上述した実施の形態における構成及び動作に関しては、適宜変更が可能である。
【００９８】
（他の実施形態）
上述の実施形態は、システム或は装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００９９】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【０１００】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。つまり、上述の実施形態を実現するためのプログラムファイルをクライアントコンピュータに提供するサーバ装置も本発明の一つである。
【０１０１】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。また、上述の実施形態を実現するためのコンピュータプログラムは、すでにコンピュータ上で稼働するＯＳの機能を利用するものであってもよい。さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【０１０２】
【図１】第１の実施形態に係るダビング装置の構成を示すブロック図である。
【図２】第１の実施形態に係るコピーリストを例示する概念図である。
【図３】第１の実施形態に係るコピー後のコピーリストを例示する概念図である。
【図４】第１の実施形態に係るコピー制御部の機能的な構成を示すブロック図である。
【図５】第１の実施形態に係るダビング装置におけるコピーリスト再作成の処理手順を示すフローチャートである。
【図６】第１の実施形態に係るコピーリスト作成基準を提示する表示画面の一例を示す概念図である。
【図７】第１の実施形態に係るコピーリスト再作成後のコピーリスト構成を例示する概念図である。
【図８】第１の実施形態に係るコピーリスト再作成後のコピーリスト構成を例示する概念図である。
【図９】第２の実施形態に係るダビング装置の構成を示すブロック図である。
【図１０】第２の実施形態に係るコピー制御部の機能的な構成を示すブロック図である。
【図１１】第２の実施形態に係るダビング装置におけるコピーリスト再作成の処理手順を示すフローチャートである。
【図１２】第２の実施形態に係るシリーズものでないと判定された場合のコピーリスト構成を例示する概念図である。
【図１３】第２の実施形態に係るシリーズものでないと判定された場合のコピーリスト構成を例示する概念図である。
【図１４】第２の実施形態に係るシリーズものであると判定された場合のコピーリスト構成を例示する概念図である。
【図１５】第３の実施形態に係るダビング装置の構成を示すブロック図である。
【図１６】第３の実施形態に係るコピー制御部の機能的な構成を示すブロック図である。
【図１７】第３の実施形態に係るダビング装置におけるコピーリスト再作成とコピー不可リストの作成の処理手順を示すフローチャートである。
【図１８】第３の実施形態に係るコピーリスト・コピー不可リスト作成処理前のコピーリスト構成を例示する概念図である。
【図１９】第３の実施形態に係るコピーリスト・コピー不可リスト作成処理後のコピーリスト構成及びコピー不可リスト構成を例示する概念図である。
【符号の説明】
【０１０３】
１０１  アンテナ
１０２  チューナ部
１０３  復調部
１０４  分離部
１０５  復号部
１０６  表示部
１０７  録画部
１０８  再生部
１０９  入力部
１１０  制御部
１１１  コピー制御部
１１２  第１の記録媒体
１１３  コンテンツ管理部
１１４  コピーリスト管理部
１１５  外部記録媒体制御部
１１６  第２の記録媒体
１１７、１１７ａ、１１７ｂ  ダビング装置
４０１  タイトル選択部
４０２  コピー処理部
４０３  コピーリスト再作成判定部
４０４  コピーリスト作成基準管理部
４０５  コピーリスト作成部
【図１】
2010113779.tif 000003
【図２】
2010113779.tif 000004
【図３】
2010113779.tif 000005
【図４】
2010113779.tif 000006
【図５】
2010113779.tif 000007
【図６】
2010113779.tif 000008
【図７】
2010113779.tif 000009
【図８】
2010113779.tif 000010
【図９】
2010113779.tif 000011
【図１０】
2010113779.tif 000012
【図１１】
2010113779.tif 000013
【図１２】
2010113779.tif 000014
【図１３】
2010113779.tif 000015
【図１４】
2010113779.tif 000016
【図１５】
2010113779.tif 000017
【図１６】
2010113779.tif 000018
【図１７】
2010113779.tif 000019
【図１８】
2010113779.tif 000020
【図１９】
2010113779.tif 000021